(57)【要約】【課題】この発明は、電食現象の防止を図り、耐久性の向上を図ったうえで、デザイン設計の自由度を含む製作の簡略化を図り得るようにすることにある。【解決手段】アーム部２２の両端部にツマミ支持部２５及びバランサー部２６を一体成形し、このアーム部２２の角孔２２１に対してハンドル軸１７の駆動部１７１を挿入して組付け配置するように構成した。【選択図】    図１
2004298066.tif 000002
【特許請求の範囲】
【請求項１】
リール本体の巻取り機構の駆動部に対してハンドルツマミの設けられるハンドル本体の連結部が、回転操作自在に取り付けられる魚釣用リールのハンドルにおいて、
前記ハンドル本体は、アーム部の両端部に前記ハンドルツマミの設けられるツマミ支持部と、バランサー部とが同一材料で一体成形され、これらツマミ支持部とバランサー部との中間部に前記駆動部に取り付けられる連結部が設けられることを特徴とする魚釣用リールのハンドル。
【請求項２】
前記バランサー部には、ハンドル本体の材料に比して比重の高い異種材料が埋設されることを特徴とする請求項１記載の魚釣用リールのハンドル。
【請求項３】
前記ハンドル本体は、チタン合金で一体成形されることを特徴とする請求項１又は２記載の魚釣用リールのハンドル。
【発明の詳細な説明】
【０００１】
【発明の属する技術分野】
この発明は、例えば両軸受型リール等の魚釣用リールに係り、特に、そのハンドルの改良に関する。
【０００２】
【従来の技術】
従来、魚釣用リールは、リール本体の巻取り機構の駆動軸に対してハンドルを連結し、このハンドルに設けられるハンドルツマミを回転操作することで、巻取り機構が回転駆動されて釣り糸がリール本体のスプールに巻き付けされる。このような魚釣用リールのハンドルは、アーム部の略中央部に上記駆動軸に連結される連結部が設けられる。そして、このアーム部の一端部には、支軸が設けられ、この支軸には、ハンドルツマミがカシメやネジ固定等により回転自在に組付けられる。また、アーム部の他端部には、バランサー取り付け部が設けられ、このバランサー取り付け部には、所望の重量を有するバランサーが、同様に支軸を介してカシメやネジ固定等により組付けられる（例えば、特許文献１参照）。
【０００３】
【特許文献１】
特開平１１―１０３７３５号（図１、図２）
【０００４】
【発明が解決しようとする課題】
ところが、上記従来の魚釣用リールのハンドルは、その一部がリール本体より突出されて配され、しかも、使用環境が海水、水、異物等が付着し易い厳しい屋外での使用が強いられるために、その突出部位が、周囲の岩等にぶつかたり、地上に落下させてしまった際に、強い衝撃を受けることがある。
【０００５】
一方、釣り人がハンドルツマミを握持して操作すると、手に付いた魚のヌメリ等が付着して、その一部が、腐食したりするという不具合を有する。これによると、例えばバランサーの支軸近傍に腐食が発生した場合、その腐食したバランサーと、別体のアーム部に植設された支軸との、接触部位やその近接する部位に、電位差による電食現象が発生して、支軸の強度が低下され、強い力や強い衝撃がが加わったりすると、バランサーが落下したりする虞を有する。
【０００６】
また、係る事情は、アーム部に支軸を介して突出して組付けられるハンドルツマミについても、同様である。
【０００７】
この発明は、上記の事情に鑑みてなされたもので、構成簡易にして、電食現象の防止を図って耐久性の向上を図り得、且つ、デザイン設計の自由度を含む製作の簡略化を図り得るようにした魚釣用リールのハンドルを提供することを目的とする。
【０００８】
【課題を解決するための手段】
この発明は、リール本体の巻取り機構の駆動部に対してハンドルツマミの設けられるハンドル本体の連結部が、回転操作自在に取り付けられる魚釣用リールのハンドルにおいて、前記ハンドル本体を、アーム部の両端部に前記ハンドルツマミの設けられるツマミ支持部と、バランサー部とが同一材料で一体成形され、これらツマミ支持部とバランサー部との中間部に前記駆動部に取り付けられる連結部を設けて構成したものである。
【０００９】
上記構成によれば、アーム部の両端部にツマミ支持部とバランサー部とを一体的に設けていることにより、強度低下の原因となる電食現象の防止が図れて、脱落を含む折損の防止が図れ、耐久性の向上が図れる。また、これによれば、構成部品の削減が図れて、そのデザイン設計を含む製作の簡略化が図れる。
【００１０】
【発明の実施の形態】
以下、この発明の実施の形態に係る魚釣用リールのハンドルについて、図面を参照して説明する。
【００１１】
図１には、この発明の一実施の形態の適用される両軸受型の魚釣用リールを示すもので、リール本体１０は、所定の間隔に配される一対の側板１０１，１０２で構成される。この一対の側板１０１，１０２間には、スプール軸１１及びレベルワイド機構１２を構成するトラバースカム軸１２１が略平行に配されて、それぞれが軸受１３１，１３２を介して回転自在に設けられる。
【００１２】
スプール軸１１には、スプール１４が嵌着され、その基端部にピニオン１１１が設けられる。このピニオン１１１には、巻取り駆動機構１５の駆動ギヤ１５１が噛合され、この駆動ギヤ１５１を介して選択的に回転力が伝達される。
【００１３】
この駆動ギヤ１５１は、上記側板１０２に軸受１６を介して回転自在に配されるハンドル軸１７の中間部にドラグ機構１８を介して配され、このハンドル軸１７の先端部には、トラバースギヤ１９が設けられる。このトラバースギヤ１９は、上記トラバースカム軸１２１に設けられるギヤ１２２に噛合され、このギヤ１２２は、上記トラバースギヤ１９の回転に連動して上記ピニオン１１１と同期して回転駆動される。
【００１４】
また、上記トラバースカム軸１２には、駆動カム１２３が設けられ、この駆動カム１２３には、ラインガイド２０が釣糸の送り出し方向と直交する矢印Ａ、Ｂ方向（スプール軸方向）駆動自在に係合される。このガイドライン２０は、トラバースカム軸１２の回転駆動に連動して駆動カム１２２を介して釣糸の送り出し方向と直交する矢印Ａ、Ｂ方向に往復移動されて釣糸を同方向に移動案内し、上記スプール１４への均一的な巻取りを可能とする。
【００１５】
上記ハンドル軸１７の基端には、例えば断面略矩形状の駆動部１７１が設けられ、この駆動部１７１には、この発明の特徴とするハンドル本体２１が回転操作自在に組付けられる。このハンドル本体２１は、例えばチタン合金、アルミニウム合金（超ジュラルミンを含む）、ステンレス鋼、マグネシウム合金等の材料を用いて、周知の切削成形や、溶融成型、鍛造等の型成形等の手法により各部が後述するように一体成形される。
【００１６】
即ち、ハンドル本体２１は、図２及び図３に示すようにアーム部２２の中間部に連結部を構成する、例えば角孔２２１が設けられ、この角孔２２１に上記ハンドル軸１７の駆動部１７１が挿入されて回り止め嵌合される。この駆動部１７１には、その先端部に螺子部１７２が設けられ、この螺子部１７２には、アーム部２２の角孔２２１を挿通した状態で、ナット部材２３が螺着される。
【００１７】
また、アーム部２１１には、例えば一対の係止孔２２２が角孔２２１を挟んで設けられ、該ハンドル軸１７の駆動部１７１の螺子部１７２にナット部材２３を螺着させた状態で、駆動部１７１の先端を覆うように被着されるキャップ部材２４の係止爪２４１が弾性係合される。
【００１８】
さらに、上記アーム部２２は、角孔２２１の一方側の端部にツマミ支持部２５が突出して一体成形され、その他方の端部にバランサー部２６が一体成形される。このうちツマミ支持部２５には、例えば回転軸部２７が軸受２８を介して回転自在に組付けられた状態で、該回転軸部２７が螺子部材２９を用いて取り付けられる。この回転軸部に２７は、その先端部に螺子部２７１が設けられ、この螺子部２７１には、ハンドルツマミ３０の螺子孔３０１が螺合されて取り付けられる。
【００１９】
他方のバランサー部１６は、例えばアーム部２２の一方の端部のハンドル３０を含んだ重量バランスを考慮して、アーム部中心の角孔２２２との間に折曲部２２３が設けられて、該角孔２２２の中心に重心が来るように一体成形される。
【００２０】
上記構成により、ハンドル本体２１は、そのハンドルツマミ３０を握持して回転操作すると、そこ回転力がハンドル軸１７の駆動部１７１に伝達され、ハンドル軸１７が回転駆動される。すると、ハンドル軸１７の回転力は、駆動ギヤ１５１を介してがピニオン１１１に伝達され、スプール軸１１を介してスプール１４が回転駆動される。
【００２１】
同時に、ハンドル軸１７の回転力は、トラバースギヤ１９を介してトラバースカム軸１２１のギヤ１２２に伝達され、このギヤ１２２が、上記ピニオン１１１と同期して回転駆動される。ここで、トラバースカム軸１２１は、その回転に連動して駆動カム１２３が、ラインガイド２０を矢印Ａ、Ｂ方向（スプール軸方向）に移動案内し、該ガイドライン２０に巻掛けられた釣糸を、上記回転駆動されるスプール１４に均一的な巻取り案内する。
【００２２】
このように、上記魚釣用リールのハンドルは、アーム部２２の両端部にツマミ支持部２５及びバランサー部２６を一体成形し、このアーム部２２の角孔２２１に対してハンドル軸１７の駆動部１７１を挿入して組付け配置するように構成した。
【００２３】
これによれば、釣り人がハンドルツマミ３０を握持して操作する際、その手に付いた魚のヌメリ等が付着して、仮にその一部が、腐食したりした場合においても、ツマミ支持部２５及びバランサー部２６がアーム部２２と一体成形されていることにより、従来のような電位差による電食現象が発生することを防止することができる。この結果、一部に腐食が発生した状態においても、岩等にぶつかる可能性の高いツマミ支持部２５やバランサー部２６の強度低下が防止されることで、耐久性の向上が図れる。
【００２４】
また、これによれば、アーム部２２にツマミ支持部２５及びバランサー部２６を一体成形していることにより、構成部品の削減が図れることにより、デザイン設計の自由度の向上が図れて簡便な製作を実現することが可能となり、例えば一体感のある滑らかな形状で、しかも、重宝感のある手に優しい形状も容易に実現することも可能となる。
【００２５】
さらに、上記ハンドル本体２１をアルミニウム合金に比してチタン・ジルコニア等のアモルファス合金や、チタン合金等の比強度の大きな異なる材料で一体成形することにより、さらに、軽量化の促進を図ることができ、しかも、強度を高めることが可能となる。
【００２６】
なお、この発明は、上記実施の形態で説明したハンドル本体２１に限ることなく、その他、図４及び図５、図６及び図７、図８及び図９、図１０及び図１１に示すように構成することも可能で、さらに有効な効果が期待される。但し、これら図４及び図５、図６及び図７、図８及び図９、図１０及び図１１においては、前記図１乃至図３と同一部分について、同一符号を付して、その説明を省略する。
【００２７】
図４及び図５に示すハンドル本体３１は、ツマミ支持部２５と角孔２２１との間、角孔２２１とバランサー部２６との間の各アーム部２２にそれぞれ凹部３１１を形成して軽量化の促進を図るように構成したものである。
【００２８】
これによれば、アーム部２２、ツマミ支持部２５、バランサー部２６を、例えばチタン・ジルコニア合金等のアモルファス合金や、チタン合金の如く比強度の大きな材料で一体成形することにより、ハンドル本体３１の軽量化の促進を図ったうえで、強度の向上を図ることができる。このようにハンドル本体３１の軽量化が促進されることにより、その使用状態におけるリール本体１０の重量偏奇を抑えることができるため、姿勢の安定化が図れ、魚釣り操作時の釣糸巻取り操作や、放出操作等の操作性の向上を図ることが可能となる。
【００２９】
また、図６及び図７に示すハンドル本体４１は、図４及び図５の凹部３１１に換えて複数の貫通孔４１１を形成して、さらに軽量化の促進を図るように構成したものである。この構成においても、同様に、アーム部２２、ツマミ支持部２５、バランサー部２６を、例えばチタン・ジルコニア合金等のアモルファス合金や、あるいはチタン合金の如く比強度の大きな材料で一体成形することにより、さらに軽量化の促進を図ったうえで、強度の向上を図ることが可能となり、操作性の向上が図れる。
【００３０】
さらに、図８及び図９に示すハンドル本体５１は、アーム部２２、ツマミ支持部２５及びバランサー部２６を低比重のアルミニウム合金等の材料で一体成形して、このアーム部２２のバランサー部２６に、材料と異なる高比重なステンレス、真鍮、タングステン等の材料製のバランサー５２を例えばインサート成形により一部を埋設させて一体形成するように構成したものである。これによれば、ハンドル本体５１の重量バランスの高精度な設定が可能とあるうえ、さらにデザイン設計の自由度の向上を図ることが可能となる。
【００３１】
また、図１０及び図１１に示すハンドル本体６１は、同様にアーム部２２、ツマミ支持部２５及びバランサー部２６を低比重のアルミニウム合金等の材料で一体成形して、アーム部２２のバランサー部２６に、該アーム部２２の材料と異なる高比重なステンレス、真鍮、タングステン等の材料製のバランサー６２を例えばインサート成形により埋設して一体形成するように構成したものである。
【００３２】
このインサート成形手法の場合には、バランサー部２６にインサート成形時の金型保持用の孔６３が形成されることとなるが、バランサー６２をインサートした後、この孔６３をシール材等を用いて閉塞することにより、バランサー６２が埋設される。これによれば、同様に、ハンドル本体６１の重量バランスの高精度な設定が可能となるうえ、さらにデザイン設計の自由度の向上を図ることが可能となる。
【００３３】
また、上記各実施の形態では、両軸受型魚釣用リールに適用した場合で説明したが、これに限ることなく、その他、スピニングリール等の各種の魚釣用リールにおいても適用可能である。
【００３４】
よって、この発明は、上記実施の形態に限ることなく、その他、実施段階ではその要旨を逸脱しない範囲で種々の変形を実施し得ることが可能である。さらに、上記実施形態には、種々の段階の発明が含まれており、開示される複数の構成要件における適宜な組合せにより種々の発明が抽出され得る。
【００３５】
例えば実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【００３６】
【発明の効果】
以上詳述したように、この発明によれば、構成簡易にして、電食現象の防止を図って耐久性の向上を図り得、且つ、デザイン設計の自由度を含む製作の簡略化を図り得るようにした魚釣用リールのハンドルを提供することができる。
【図面の簡単な説明】
【図１】この発明の一実施の形態の適用された両軸受型リールを断面して示した断面図である。
【図２】図１のハンドル本体を取り出して示した断面図である。
【図３】図２のハンドル本体を上面から見た状態を示した平面図である。
【図４】この発明の他の実施の形態に係るハンドル本体を取り出して示した断面図である。
【図５】図４のハンドル本体を上面から見た状態を示した平面図である。
【図６】この発明の他の実施の形態に係るハンドル本体を取り出して示した断面図である。
【図７】図６のハンドル本体を上面から見た状態を示した平面図である。
【図８】この発明の他の実施の形態に係るハンドル本体を取り出して示した断面図である。
【図９】図８のハンドル本体を上面から見た状態を示した平面図である。
【図１０】この発明の他の実施の形態に係るハンドル本体を取り出して示した断面図である。
【図１１】図１０のハンドル本体を上面から見た状態を示した平面図である。
【符号の説明】
１０…リール本体、１０１，１０２…側板、１１…スプール軸、１１１…ピニオン、１２…レベルワイド機構、１２１…トラバースカム軸、１２２…ギア、１２３…駆動カム、１３１，１３２，１６，２８…軸受、１４…スプール、１５…巻取り機構、１５１…駆動ギア、１７…ハンドル軸、１７１…駆動部、１７２…螺子部、１８…ドラグ機構、１９…トラバース歯車、２０…ラインガイド、２１…ハンドル本体、２２１…角孔、２２２…係止孔、２２３…係止爪、２３…ナット部材、２４…キャップ部材、２４１…係止爪、２５…ツマミ支持部、２６…バランサー部、２７…回転軸部、２７１…螺子部、２９…螺子部材、３０…ハンドルツマミ、３０１…子孔、３１，４１，５１，６１…ハンドル本体、３１１…凹部、４１１…貫通孔、５２、６２…バランサー、６３…孔。
【図１】
2004298066.tif 000003
【図２】
2004298066.tif 000004
【図３】
2004298066.tif 000005
【図４】
2004298066.tif 000006
【図５】
2004298066.tif 000007
【図６】
2004298066.tif 000008
【図７】
2004298066.tif 000009
【図８】
2004298066.tif 000010
【図９】
2004298066.tif 000011
【図１０】
2004298066.tif 000012
【図１１】
2004298066.tif 000013